(57)【要約】【課題】構造が簡単で、扉の着脱作業が容易にできるとともに、強度的に強い扉用ピボットヒンジ及びこれを備えた扉を提供する。【解決手段】扉側上部ピボットヒンジ４には、扉の回動中心軸となるピボット７が備えられ、枠側上部ピボットヒンジ５には、ピボット７が水平方向から挿入可能とされる係合溝１７が形成されるとともに、この係合溝１７に嵌合されたピボット７を抜脱不能に保持するロック部材１５が備えられ、前記係合溝１７内には、平面視で、該係合溝１７を構成している部分の一部が、嵌合されたピボット７の中心を通り、閉状態の扉面に対して垂直方向に引いた基準線Ａを越えた位置までピボット７の外側を覆うように延在することにより、ピボット７を前記枠側ピボットヒンジ部材５が直接的に保持するようにしたピボット保持部１７Ａを有し、前記ロック部材１５はピボット保持部１７Ａの入口部において、没入可能に突出方向に付勢支持される。【選択図】図２
2009062750.tif 000002
【特許請求の範囲】
【請求項１】
扉上部に取付けられる扉側ピボットヒンジと、扉取付枠上部に取り付けられる枠側ピボットヒンジとから構成される扉用ピボットヒンジであって、
前記扉側ピボットヒンジには、扉の回動中心軸となるピボットが備えられ、
前記枠側ピボットヒンジには、前記ピボットが水平方向から挿入可能とされる係合溝が形成されるとともに、この係合溝に嵌合されたピボットを抜脱不能に保持するロック部材が備えられ、
前記係合溝内には、平面視で、該係合溝を構成している部分の一部が、嵌合されたピボットの中心を通り、閉状態の扉面に対して垂直方向に引いた基準線を越えた位置までピボットの外側を覆うように延在することにより、嵌合されたピボットを前記枠側ピボットヒンジ部材が直接的に保持するようにしたピボット保持部を有するとともに、
前記ロック部材は前記ピボット保持部の入口部において、没入可能に突出方向に付勢支持され、
扉取付けに当たり、前記ピボットを前記係合溝に対して水平方向から前記ロック部材を付勢力に抗して没入させながら嵌合させ、前記ピボットが前記ピボット保持部に嵌合された状態では、前記ロック部材が突出して前記ピボットの側面を抜脱不能に保持することを特徴とする扉用ピボットヒンジ。
【請求項２】
前記ロック部材には、扉の取り外し時に前記ロック部材による前記ピボットの係合状態を解除するための押圧用摘み部が設けられている請求項１記載の扉用ピボットヒンジ。
【請求項３】
前記ピボットを前記係合溝に嵌合した状態で、少なくとも前記ロック部材の露出部分を覆う保護カバーが設けられている請求項１〜２いずれかに記載の扉用ピボットヒンジ。
【請求項４】
請求項１〜３いずれかに記載の扉用ピボットヒンジを備えた扉であって、
前記扉の吊元側端面及びこれに対面する扉取付枠の内の一方に、凸部を有する凸型部材を設けるとともに、他方に凹部を有する凹型部材を設け、前記扉の閉状態時に前記凸部と前記凹部との嵌合により扉の振止めを図るようにした扉用ピボットヒンジを備えた扉。
【発明の詳細な説明】
【技術分野】
【０００１】
本発明は、主に室内扉を扉取付枠に回動自在に支持するための扉用ピボットヒンジ及びこれを備えた扉に関する。
【背景技術】
【０００２】
従来より、扉を扉取付枠に回動自在に支持するピボットヒンジとして、扉の上部及び下部に取付けられた扉側ピボットヒンジの凹状孔を、扉取付枠の上部及び下部に取付けられた枠側ピボットヒンジの支軸に上方から嵌挿するようにしたものが用いられていた。ところが、このようなヒンジでは、扉及び扉取付枠の上下２箇所に取付けられた各ピボットヒンジを相互に位置合わせしながら取付作業を行わなければならず、作業に手間がかかっていた。また、扉の上端部と天井面との間のスペースが少ない場所では、扉側ピボットヒンジの凹状孔を枠側ピボットヒンジの支軸に上方から嵌挿することができないという問題もあった。
【０００３】
かかる問題の解決のため、近年では、下記特許文献１〜３に記載されるように、上部のピボットヒンジを連結する際、扉側のピボットを枠側のピボットヒンジの係合溝に水平方向から挿入するようにしたものが提案されている。
【０００４】
下記特許文献１では、扉取付枠には、扉取付枠に水平状に配設固着される支持アームを有し、この支持アームの先端部に挿入部を開口した案内凹部を形成し、この案内凹部の両側部に一対のカムを夫々水平方向に回動自在に軸支されるとともに、この一対のカムを常時前記案内凹部内に突出させる方向に付勢するスプリングが設けられたヒンジ部材が設けられ、扉には、扉に固着される連動アームを有し、この連動アームの先端部に前記支持アームの案内凹部内に挿入する回動中心軸を上方に向かって垂直状に突出したヒンジ部材が設けられ、前記回動中心軸を水平方向の移動により前記挿入部から一対のカムに対して案内凹部内に挿入し、この案内凹部及び一対のカムにて回動中心軸を回動自在に支持する扉開閉装置が開示されている。
【０００５】
また、下記特許文献２では、扉本体側に設けられた下部ヒンジ本体にピボットを取付け、扉取付枠側に設けられた上部ヒンジ本体に、前記ピボットが横方向に移動して嵌合される切込み状のピボット受部を設けるとともに、該ピボット受部を設けた上部ヒンジ本体に、ピボット受部との間でピボットを抱持する係止爪を、支点を中心として回動自在に、かつばねにより前記ピボットを係止する方向に付勢して取り付けたピボットヒンジを備えた扉が開示されている。
【０００６】
さらに、下記特許文献３では、前面側が開口するピボット孔を設けた枠側プレートの上面に、ピボットが嵌る大きさの係止孔を形成した仮止め板を設け、この仮止め板を枠側プレートに対し押し上げ可能に連結するとともに、ばねによって押し付ける方向に付勢せしめ、前記仮止め板の前方に、上方に屈曲するガイド部を形成したドア用ピボットヒンジが開示されている。
【特許文献１】特許第２８５９１０３号公報
【特許文献２】特許第２９９９４４３号公報
【特許文献３】特許第２９０６２２１号公報
【発明の開示】
【発明が解決しようとする課題】
【０００７】
しかしながら、上記特許文献１記載の扉開閉装置では、回動中心軸を、左右一対のカムと、案内凹部の内端部に位置してスプリングを介して進退自在に設けられた軸受体とによって回動自在に挟持するものであるため、構造が複雑となる欠点があるとともに、前記軸受体は案内凹部の内端部にスプリングを介して進退自在に設けられているため、扉開閉時に回動中心軸が案内凹部の内端部方向に移動して、ガタが生じるという欠点がある。
【０００８】
また、上記特許文献１記載のピボットヒンジを備えた扉及び上記特許文献２記載のドア用ピボットヒンジでは、扉に取り付けられるピボットを、扉取付枠に取り付けられる上部ヒンジ本体のピボット受部に挿入して、仮止め部材で仮止め後、ピボット受部を閉塞する止具をボルト２本で固定する構造であるため、扉の着脱の際には前記ボルトを取付けたり、取り外したりする必要があり、１操作で簡単に扉を取り付けることが出来ず、作業が面倒であった。
【０００９】
さらに、扉の開閉操作によってピボットヒンジに作用する力を考えると、扉と扉取付枠とが嵌脱する扉の閉状態付近において、扉面に対して法線方向に作用する力が最大となる。特に、密閉性の高い室内などの室内扉を勢いよく閉操作する場合に、扉が扉取付枠に嵌合するとき、反動で瞬間的に扉面に垂直方向の大きな反力が生じる。この垂直反力は、上記特許文献１記載の扉開閉装置では、前記一対のカムによって支持され、上記特許文献２、３記載のピボットヒンジでは、ヒンジ本体にボルトで固定される止具などによって支持されている。すなわち、いずれのピボットヒンジにおいても、閉状態付近における扉に作用する垂直力は、前記カムや止具などの各部材が受け持ち、繰り返しの開閉操作によって前記各部材が破損するおそれがあった。
【００１０】
そこで本発明の主たる課題は、構造が簡単で、扉の着脱作業が容易にできるとともに、強度的に強い扉用ピボットヒンジ及びこれを備えた扉を提供することにある。
【課題を解決するための手段】
【００１１】
前記課題を解決するために請求項１に係る本発明として、扉上部に取付けられる扉側ピボットヒンジと、扉取付枠上部に取り付けられる枠側ピボットヒンジとから構成される扉用ピボットヒンジであって、
前記扉側ピボットヒンジには、扉の回動中心軸となるピボットが備えられ、
前記枠側ピボットヒンジには、前記ピボットが水平方向から挿入可能とされる係合溝が形成されるとともに、この係合溝に嵌合されたピボットを抜脱不能に保持するロック部材が備えられ、
前記係合溝内には、平面視で、該係合溝を構成している部分の一部が、嵌合されたピボットの中心を通り、閉状態の扉面に対して垂直方向に引いた基準線を越えた位置までピボットの外側を覆うように延在することにより、嵌合されたピボットを前記枠側ピボットヒンジ部材が直接的に保持するようにしたピボット保持部を有するとともに、
前記ロック部材は前記ピボット保持部の入口部において、没入可能に突出方向に付勢支持され、
扉取付けに当たり、前記ピボットを前記係合溝に対して水平方向から前記ロック部材を付勢力に抗して没入させながら嵌合させ、前記ピボットが前記ピボット保持部に嵌合された状態では、前記ロック部材が突出して前記ピボットの側面を抜脱不能に保持することを特徴とする扉用ピボットヒンジが提供される。
【００１２】
上記請求項１記載の発明では、前記係合溝内に、平面視で、該係合溝を構成している部分の一部が、嵌合されたピボットの中心を通り、閉状態の扉面に対して垂直方向に引いた基準線を越えた位置までピボットの外側を覆うように延在することにより、嵌合されたピボットを前記枠側ピボットヒンジ部材が直接的に保持するようにしたピボット保持部を有するとともに、前記ロック部材が前記ピボット保持部の入口部において、没入可能に突出方向に付勢支持され、嵌合されたピボットを抜脱不能に保持するようになっているため、構造が簡単で、扉の着脱作業が容易である。また、前記ピボット保持部の外側部分を構成している枠側ピボットヒンジ部材は、該ピボット保持部に嵌合されたピボットの中心を通り、閉状態の扉面に対して垂直に引いた基準線を越えた位置までピボットの外側を覆うように延在しているため、扉開閉時に、ピボットに対して、扉面（閉状態）の法線方向に作用する力は、枠側ピボットヒンジ部材が直接的に受け持つようになり、フレームに付加した各部材が受け持つ従来の構造に比べ、強度的に強い扉用ピボットヒンジを得ることができるようになる。
【００１３】
請求項２に係る本発明として、前記ロック部材には、扉の取り外し時に前記ロック部材による前記ピボットの係合状態を解除するための押圧用摘み部が設けられている請求項１記載の扉用ピボットヒンジが提供される。
【００１４】
上記請求項２記載の発明では、前記押圧用摘み部を設けることにより、扉取り外し時にロック部材によるピボットの係合状態を簡単に解除でき、扉の脱着作業が容易となる。
【００１５】
請求項３に係る本発明として、前記ピボットを前記係合溝に嵌合した状態で、少なくとも前記ロック部材の露出部分を覆う保護カバーが設けられている請求項１〜２いずれかに記載の扉用ピボットヒンジが提供される。
【００１６】
上記請求項３記載の発明では、ピボットを係合溝に係合した状態で、少なくとも前記枠側ピボットヒンジ部材から係合溝の側に突出したロック部材を覆う保護カバーが設けられるようになっている。このため、誤ってロック部材が押されてピボットの係合状態が解除され、扉が扉取付枠から脱落するのを確実に防止できるようになる。
【００１７】
請求項４に係る本発明として、請求項１〜３いずれかに記載の扉用ピボットヒンジを備えた扉であって、
前記扉の吊元側端面及びこれに対面する扉取付枠の内の一方に、凸部を有する凸型部材を設けるとともに、他方に凹部を有する凹型部材を設け、前記扉の閉状態時に前記凸部と前記凹部との嵌合により扉の振止めを図るようにした扉用ピボットヒンジを備えた扉が提供される。
【００１８】
上記請求項４記載の発明は、請求項１〜３いずれかに記載の扉用ピボットヒンジを備えた扉において、扉の振止め、反り止め、位置ズレ防止などを図るため、前記扉の吊元側端面及びこれに対面する扉取付枠の内の一方に、凸部を有する凸型部材を設けるとともに、他方に凹部を有する凹型部材を設けるようにしたものである。
【発明の効果】
【００１９】
以上詳説のとおり本発明によれば、構造が簡単で、扉の着脱作業が容易にできるとともに、強度的に強い扉用ピボットヒンジ及びこれを備えた扉が提供できる。
【発明を実施するための最良の形態】
【００２０】
以下、本発明の実施の形態について図面を参照しながら詳述する。
【００２１】
本発明に係るピボットヒンジ１は、扉２及び扉取付枠３の上部にそれぞれ取り付けられる上部ピボットヒンジ１Ａと、扉２及び扉取付枠３の下部にそれぞれ取り付けられる下部ピボットヒンジ１Ｂとから構成される。
【００２２】
図１は、扉２が開状態における上部ピボットヒンジ１Ａの取付け状態を示す斜視図であり、図２は、扉２が閉状態における上部ピボットヒンジ１Ａの取付け状態を示す斜視図である。
【００２３】
前記上部ピボットヒンジ１Ａは、図１及び図２に示されるように、扉２の上部に取り付けられる扉側上部ピボットヒンジ４と、扉取付枠３の上部に取り付けられる枠側上部ピボットヒンジ５とから構成されている。
【００２４】
前記扉側上部ピボットヒンジ４は、図１、図２、図３及び図４に示されるように、扉２の上端角部の一部をＬ字型に切り欠いたＬ字型切欠部２ａの側面に固定される定着プレート８と、この定着プレート８に固設されるとともに、ピボット７が取り付けられるピボット固定部材９と、扉面より外側位置で上方向に突出して設けられ、扉２の回動中心軸となるピボット７とから構成されている。
【００２５】
前記定着プレート８は、図５に示されるように、上下端を垂直に折曲げ加工した折曲げ端部８ａ、８ａが形成され断面略コ字状の外形を成し、その中間の平面部には、扉２への定着を図るための複数の、図示例では４つの固定ビス取付用孔８ｂ、８ｂ…が設けられるとともに、前記ピボット固定部材９が固定される複数の、図示例では３つのネジ孔８ｃ、８ｃ…が設けられている。また、上下方向中央部には、前記ピボット固定部材９の取付位置を前後方向に微調整するための位置調整用リベット１０の軸部が挿嵌され、その端部をカシメて一体化するためのカシメ用孔８ｄが設けられている。
【００２６】
前記ピボット固定部材９は、図６に示されるように、前記定着プレート８の折曲げ端部８ａ、８ａ間に嵌合して固定される固定部９Ａと、この固定部９Ａに連続して設けられ、前記ピボット７が取り付けられるピボット取付部９Ｂとから構成されている。前記固定部９Ａには、図６に示されるように、前記定着プレート８のネジ孔８ｃ、８ｃ…に螺入されるビスを挿嵌するために、扉内外方向に長い長孔又は長溝９ａ、９ａ…が設けられるとともに、前記位置調整用リベット１０の頭部１０ｂが嵌挿される上下方向に長い長孔９ｂが設けられている。
【００２７】
一方、前記ピボット取付部９Ｂは、前記固定部９Ａから延在した側板９ｃが設けられるとともに、この側板９ｃの上端から水平方向に天板９ｄが設けられ、この天板９ｄの他方側端から前記側板９ｃに平行してもう一方側の側板９ｅが垂設され、下側に開口する断面コ字状に構成されている。前記側板９ｃ、９ｅにはそれぞれ、前記ピボット７を固定するピボット固定軸１２を挿通するための挿通孔９ｆ、９ｇが設けられるとともに、前記天板９ｄには、ピボット７の軸部を挿通するために扉面の左右方向に長い長孔９ｈが形成されている。
【００２８】
前記ピボット固定部材９は、定着プレート８に対して扉内外方向（前後方向）に対して微調整可能となっている。前後方向への微調整手段は、先ず、前記ピボット固定部材９の固定部９Ａが、前述の通り、定着プレート８の折曲げ端部８ａ、８ａ間に取り付けられることにより、上下方向の移動が拘束され、前後方向にのみスライド可能とされている。そして、前記定着プレート８にピボット固定部材９の固定部９Ａを取り付けた状態で、位置調整用リベット１０により調整を行う。この位置調整用リベット１０は、図７に示されるように、ドライバー（ねじ回し）で回動させる十字溝が形成され、前記ピボット固定部材９の長孔９ｂに係合する頭部１０ｂと、この頭部１０ｂの回動中心からＳだけ偏心し、前記定着プレート８のカシメ用孔８ｄに挿通され、その端部がカシメられることにより一体化される軸部１０ａとから構成されている。この位置調整用リベット１０をドライバーで回動させると、偏心した頭部１０ｂが長孔９ｂを介してピボット固定部材９を前後方向に移動させるようになり、これによってピボット固定部材９の前後方向の微調整が可能になる。微調整の後、ピボット固定部材９と定着プレート８とは、前記長孔又は長溝９ａ、９ａ…を挿通してビス孔８ｃ…に螺合されるビスによって固定される。
【００２９】
前記ピボット７は、図８に示されるように、前記ピボット固定部材９に取付けられる固定部７ａと、扉２の回動中心となるピボット軸７ｂとから構成されている。また、前記固定部７ａには、ピボット固定軸１２の雄ねじ部１２ｂと螺合するネジ孔７ｃが設けられている。前記ピボット固定軸１２は、図９に示されるように、ドライバーで回動させる十字溝が形成された頭部１２ａと、外面にねじ溝が形成された雄ねじ部１２ｂと、端部をカシメることにより一体化されるカシメ軸部１２ｃとから構成されている。このピボット７をピボット固定部材９に取付けるには、前記ピボット７のピボット軸７ｂをピボット固定部材９の長孔９ｈから突出させた状態で、ピボット固定軸１２をピボット固定部材９の挿通孔９ｆから挿通させ、ピボット７のネジ孔７ｃに螺入後、対向面側の挿通孔９ｇに挿通させて、カシメ軸部１２ｃの端部をカシメることにより一体化させる。そして、ピボット７を扉面の左右方向に微調整を行うには、ピボット固定軸１２をドライバーで回動させ、雄ねじ部１２ｂに螺合するピボット７の固定部７ａを進退させることにより行うことができる。
【００３０】
次に、枠側上部ピボットヒンジ５について詳述する。枠側上部ピボットヒンジ５は、図１０及び図１１に示されるように、前記ピボット７が水平方向から挿入可能とされる係合溝１７が形成されるピボット受部材１３と、前記係合溝１７を補強するための係合溝補強板１４と、前記係合溝１７に嵌合されたピボット７を抜脱不能に保持するロック部材１５とから主に構成されている。
【００３１】
前記係合溝１７の内部には、詳細には図１２に示されるように、平面視で、該係合溝１７を構成している部分の一部が、嵌合されたピボット７の中心を通り、閉状態の扉面に対して垂直方向に引いた基準線Ａを越えた位置までピボット７の外側を覆うように延在することにより、嵌合されたピボット７を前記枠側ピボットヒンジ部材５が直接的に保持するようにしたピボット保持部１７Ａが設けられるとともに、このピボット保持部１７Ａの入口部に、没入可能に突出方向に付勢支持されたロック部材１５が設けられている。前記ピボット保持部１７Ａは、図示例では、前記ピボット７の扉取付枠への挿入方向線に対して左右一方の側に傾斜して、特に図示例では挿入方向線に対して左側に約４５°の角度で傾斜して係合溝１７の奥端部に設けられている。
【００３２】
以下、更に枠側上部ピボットヒンジ５について詳述すると、
前記ピボット受部材１３は、図１３に示されるように、略断面Ｌ字型の部材であり、側板となる一方面には、扉取付枠３に固定するための固定用ビスを取付ける複数の固定用孔１３ａ、１３ａ…が設けられている。また、この上端から垂直に突設される他方面には、扉２の挿入がわ端から、前記ピボット７が水平方向から挿入可能とされる係合溝１７が形成されている。また、この係合溝１７の後方には、前記ロック部材１５をスライド支持するリベット１８が挿通される長孔１３ｂが形成され、さらにその後方には、ロック部材１５を付勢支持するバネ材１６の支持基端となるバネキャップ１９が掛止される貫通孔１３ｃ、１３ｃが設けられている。
【００３３】
前記係合溝補強板１４は、樹脂から構成され、図１４に示されるように、前記ピボット受部材１３の係合溝１７及び長孔１３ｂを含む領域に沿った外形をなしている。また、この係合溝補強板１４には、ピボット受部材１３の係合溝１７の縁部を覆うように垂壁１４ａが垂設され、前記ピボット７が金属からなるピボット受部材１３に直接接触するのではなく、ピボット７が樹脂と接触することにより、金属同士の接触による摩擦音の発生を防止するようになっている。また、内部には前記ピボット受部材１３と同様に長孔１４ｂが設けられている。
【００３４】
前記ロック部材１５は、図１５に示されるように、前記ピボット保持部１７Ａの入口部において、係合溝１７に突出してピボット７の側面を保持する係合溝突出部１５ａが設けられるとともに、前端には、扉２の取り外し時にロック部材１５によるピボット７の係合状態を解除するための押圧用摘み部１５ｂが垂設され、後端には、バネ材１６の付勢力を支持する付勢力支持部１５ｃが垂設されている。さらに、上面には前記リベット１８の端部をカシメることにより一体化されるカシメ用孔１５ｄが設けられている。ここで、前記ロック部材１５は、図１０及び図１１に示されるように、ピボット受部材１３に対して回動するのではなく、水平移動することによって係合溝１７に向けて没入可能に付勢支持されている。このため、構造が簡単で故障が起きにくいとともに、ロック部材１５を強い付勢力で係合溝１７に突出させることができる。
【００３５】
前記扉２を扉取付枠３に取付けるに当たっては、図１６(A)に示されるように、前記ピボット７を前記係合溝１７に対して水平方向からロック部材１５を付勢力に抗して没入させながら嵌合させ、ピボット７がピボット保持部１７Ａに嵌合された状態では、同図(B)に示されるように、ロック部材１５が突出してピボット７の側面を抜脱不能に保持するように構成されている。これにより、扉開閉時に、ピボット７に対して、扉面（閉状態）の法線方向に作用する力は、枠側ピボットヒンジ部材５が直接的に受け持つようになり、フレームに付加した各部材が受け持つ従来の構造に比べ、強度的に強い扉用ピボットヒンジ１Ａを得ることができるようになる。
【００３６】
また、図１７に示されるように、前記ピボット７を係合溝１７に嵌合した状態で、少なくとも枠側上部ピボットヒンジ５の係合溝１７に突出したロック部材１５の露出部分を覆う保護カバー２０を設けるようにすることが好ましい。この保護カバー２０を設けることにより、誤って突出した部分のロック部材１５を押して、ピボット７の係止状態が解除され、扉２が扉取付枠３から脱落するのが防止できる。なお、前記保護カバー２０は、前記押圧用摘み部１５ｂが押されるのを防止するためのものであり、枠側上部ピボットヒンジ５に対してワンタッチ方式で取り付けられるものであるため、着脱作業が複雑化することはない。
【００３７】
一方、扉２及び扉取付枠３の下部に取り付けられる下部ピボットヒンジ１Ｂは、図１８に示されるように、広く一般に使用される構造のもので、扉２の下部に取り付けられ、ピボットが挿入される凹部が形成された扉側下部ピボットヒンジ３０と、扉取付枠３の下部に取り付けられ、ピボットが設けられた枠側下部ピボットヒンジ３１とから構成されている。ここで、本発明に係る下部ピボットヒンジ１Ｂは、扉２又は扉取付枠３への取付位置を調整することにより、扉２を床面から所定高さのクリアランスを設けて建て込んだり、下側の扉取付枠に合わせて建て込んだりすることができ、床面の仕様条件に左右されずに施工することが可能となる。
【００３８】
ところで、本発明では、扉２が側面の上端部及び下端部において上部ピボットヒンジ１Ａ及び下部ピボットヒンジ１Ｂによって支持されているため、通常の蝶番のように扉の側面中間の上部及び下部で支持される扉より、扉中央部の振れ、反り、位置ズレなどが懸念される。そこで、本発明では、図１９に示されるように、扉２の吊元側端面及びこれに対面する扉取付枠３の内の一方に、凸部を有する凸型部材４１を設けるとともに、他方に凹部を有する凹型部材４２を設け、扉２の閉状態時に前記凸部と前記凹部との嵌合により扉２の振止め、反り止め、位置ズレ防止などを図る嵌合部材４０を備えるようにすることが好ましい。なお、前記係合部材４０は、上部ピボットヒンジ１Ａと下部ピボットヒンジ１Ｂとの中間位置に一箇所又は複数箇所に亘って設けることができる。
【００３９】
前記凸型部材４１は、図２０、図２１に示されるように、扉２の側面に穿設されたザグリ孔２ｂに挿設される固定凸部４１ａが形成され、扉２の側面に没入した状態で固設される定着部材４１Ａと、この定着部材４１Ａの表面に形成された凹状平面４１ｂに嵌合される基部プレート４１ｄの表面に突出した凸部４１ｅを有する凸型部材本体４１Ｂとによって構成されている。前記凸型部材本体４１Ｂは、その基部プレート４１ｄが凹状平面４１ｂに内装される高さで形成されるとともに、凹状平面４１ｂの幅より狭い幅で形成されることにより、定着部材４１Ａの凹状平面４１ｂ内を、扉面に対し前後方向に位置調整して固定できるようになっている。この位置調整は、図１９(A)に示されるように、凸部４１ｅの外側端の軌跡が、後述する凹型部材４２の凹部４２ａの外側端に近接する位置とすることが好ましい。この位置調整がされた状態で、凸型部材本体４１Ｂは、定着部材４１Ａの上下に設けられた固定ビス通孔４１ｃ、４１ｃ及び凸型部材本体４１Ｂの上下に設けられた前後方向に長い長孔４１ｆ、４１ｆを貫通する固定ビス４３、４３によって固定される。
【００４０】
前記凹型部材４２は、図２２に示されるように、前記凸型部材４１の凸部４１ｅと嵌合する位置で扉取付枠３に没入した状態で固設されるとともに、前記凸部４１ｅが嵌挿される凹部４２ａが設けられ、この凹部４２ａの底面に扉取付枠３への固定を図るための固定ビスが挿通される固定ビス通孔４２ｂ、４２ｂが設けられている。
【図面の簡単な説明】
【００４１】
【図１】扉２の開状態における上部ピボットヒンジ１Ａの取付け状態を示す斜視図である。
【図２】扉２が閉状態における上部ピボットヒンジ１Ａの取付け状態を示す斜視図である。
【図３】扉側上部ピボットヒンジ４の組立て状態を示す、(A)は上面図、(B)は正面図、(C)は側面図である。
【図４】扉側上部ピボットヒンジ４の組立て状態を示す斜視図である。
【図５】定着プレート８を示す斜視図である。
【図６】ピボット固定部材９を示す斜視図である。
【図７】位置調整用リベット１０を示す、(A)は左側面図、(B)は正面図である。
【図８】ピボット７を示す斜視図である。
【図９】ピボット固定軸１２を示す正面図である。
【図１０】枠側上部ピボットヒンジ５の組立て状態を示す、(A)は上面図、(B)は正面図、(C)は側面図である。
【図１１】枠側上部ピボットヒンジ５の組立て状態を示す、(A)は斜視図、(B)はそのＢ矢視からの斜視図である。
【図１２】係合溝１７近傍を拡大したピボット受部材１３の平面図である。
【図１３】ピボット受部材１３を示す斜視図である。
【図１４】係合溝補強板１４を示す斜視図である。
【図１５】ロック部材１５を示す斜視図である。
【図１６】ピボット７の係合溝１７への係合手順を示す説明図である。
【図１７】保護カバー２０の取付け状態を示す斜視図である。
【図１８】扉２が開状態における下部ピボットヒンジ１Ｂの取付け状態を示す正面図である。
【図１９】(A)、(B)は、係合部材４０の取付け状態を示す平面図である。
【図２０】定着部材４１Ａを示す、(A)は正面図、(B)は側面図である。
【図２１】凸型部材本体４１Ｂを示す、(A)は正面図、(B)は側面図である。
【図２２】凹型部材４２を示す、(A)は正面図、(B)は側面図である。
【符号の説明】
【００４２】
１…ピボットヒンジ、１Ａ…上部ピボットヒンジ、１Ｂ…下部ピボットヒンジ、２…扉、３…扉取付枠、４…扉側上部ピボットヒンジ、５…枠側上部ピボットヒンジ、７…ピボット、８…定着プレート、９…ピボット固定部材、１０…位置調整用リベット、１２…ピボット固定軸、１３…ピボット受部材、１４…係合溝補強板、１５…ロック部材、１６…バネ材、１７…係合溝、１８…リベット、１９…バネキャップ、２０…保護カバー、３０…扉側下部ピボットヒンジ、３１…枠側下部ピボットヒンジ、４０…係合部材、４１…凸型部材、４１Ａ…定着部材、４１Ｂ…凸型部材本体、４２…凹型部材、４３…固定ビス
【図１】
2009062750.tif 000003
【図２】
2009062750.tif 000004
【図３】
2009062750.tif 000005
【図４】
2009062750.tif 000006
【図５】
2009062750.tif 000007
【図６】
2009062750.tif 000008
【図７】
2009062750.tif 000009
【図８】
2009062750.tif 000010
【図９】
2009062750.tif 000011
【図１０】
2009062750.tif 000012
【図１１】
2009062750.tif 000013
【図１２】
2009062750.tif 000014
【図１３】
2009062750.tif 000015
【図１４】
2009062750.tif 000016
【図１５】
2009062750.tif 000017
【図１６】
2009062750.tif 000018
【図１７】
2009062750.tif 000019
【図１８】
2009062750.tif 000020
【図１９】
2009062750.tif 000021
【図２０】
2009062750.tif 000022
【図２１】
2009062750.tif 000023
【図２２】
2009062750.tif 000024